(57)【要約】【課題】プライバシを確保しつつ必要に応じて広い区画を確保することができる移動間仕切装置を提供する。【解決手段】ガイドレール３０，３５Ａ，…に沿って移動可能な間仕切パネル２Ａ，２Ｂ，…によって空間に個室状区画Ｒ１，Ｒ２，…を形成する移動間仕切装置１であって、ガイドレール３０，３５Ａ，…は、間仕切パネル２Ａ，２Ｂ，…のパネル面に対して略直交方向に配設されている。【選択図】図３
2019082083.tif 000002
【特許請求の範囲】
【請求項１】
ガイドレールに沿って移動可能な間仕切パネルによって空間に個室状区画を形成する移動間仕切装置であって、
前記ガイドレールは、該間仕切パネルのパネル面に対して略直交方向に配設されていることを特徴とする移動間仕切装置。
【請求項２】
前記間仕切パネルは、隣接する個室状区画との仕切であることを特徴とする請求項１に記載の移動間仕切装置。
【請求項３】
前記間仕切パネルは、隣接する共有スペースとの仕切であることを特徴とする請求項１または２に記載の移動間仕切装置。
【請求項４】
前記ガイドレールは、天井または架台に架設され、前記間仕切パネルは、前記ガイドレールに揺動可能に吊支されていることを特徴とする請求項１ないし３のいずれかに記載の移動間仕切装置。
【請求項５】
前記間仕切パネルは、側縁部において水平方向に回動可能に取付けられる補助パネルを有することを特徴とする請求項１ないし４のいずれかに記載の移動間仕切装置。
【請求項６】
前記個室状区画は、個室状病室であることを特徴とする請求項１ないし５のいずれかに記載の移動間仕切装置。
【発明の詳細な説明】
【技術分野】
【０００１】
本発明は、空間を仕切るための移動間仕切装置に関する。
【背景技術】
【０００２】
従来、複数の人が滞在する建物内の広い空間において、カーテンを用いて空間を仕切り、個室状区画を形成することで、個室状区画内における各人のプライバシを確保するものが知られている。一方で、カーテンは、容易に捲れ上がったり移動し隙間を生じやすいものであった。そこで、複数の間仕切パネルを連接して成る間仕切パネル装置用いて空間を仕切り、個室状区画を形成してプライバシを確実に確保していた。例えば、病院の建物内の部屋や空間に間仕切パネル装置を用いることで、プライバシが確保された個室状病室として利用されつつある（例えば、特許文献１）。
【０００３】
特許文献１のベッド用パーティション（間仕切パネル装置）は、対向するように配設される一対の固定パネルの開口端部間を可動パネルによって締め切ることで、ベッドが配置される個室状病室と共用スペースを仕切るようになっている。可動パネルは、一方側の開口端部に回動可能に取付けられた主パネルと、該主パネルの端部に回動可能に取付けられた延長パネルと、該延長パネルに収納・進出可能に取り付けられたロールカーテンと、から構成されている。個室状病室は、ロールカーテンを他方側の開口端部に向かって進出させることでプライバシが確保された空間となるとともに、ロールカーテンを収納方向に操作することで延長パネルの端部と開口端部との間の間口を開放し、個室状病室への出入りが可能となっている。また、個室状病室内では患者に対して医療行為に準じる処置等が行われる。
【先行技術文献】
【特許文献】
【０００４】
【特許文献１】特開平９−２５６５１９号公報（第４頁、第２図）
【発明の概要】
【発明が解決しようとする課題】
【０００５】
しかしながら、特許文献１にあっては、個室状病室内で処置等が行われることからプライバシが確保されるものの、それらの処置等を可能に個室状病室が設計されているため、多くの人や大型の機材を使用した処置等を行うことができないという問題がある。
【０００６】
本発明は、このような問題点に着目してなされたもので、プライバシを確保しつつ必要に応じて広い区画を確保することができる移動間仕切装置を提供することを目的とする。
【課題を解決するための手段】
【０００７】
前記課題を解決するために、本発明の移動間仕切装置は、
ガイドレールに沿って移動可能な間仕切パネルによって空間に個室状区画を形成する移動間仕切装置であって、
前記ガイドレールは、該間仕切パネルのパネル面に対して略直交方向に配設されていることを特徴としている。
この特徴によれば、間仕切パネルによって外部から個室状区画内への視認性を低減できるとともに、間仕切パネルをガイドレールに沿って間仕切パネルのパネル面に対して略直交方向に移動させることによって、個室状区画を拡張することができることから、プライバシを確保しつつ必要に応じて一時的に広い区画を確保することができる。
【０００８】
前記間仕切パネルは、隣接する個室状区画との仕切であることを特徴としている。
この特徴によれば、間仕切パネルをガイドレールに沿って間仕切パネルのパネル面に対して略直交方向かつ隣接する個室状区画側に移動させることにより、隣接する個室状区画の一部を一時的に利用して個室状区画内を拡張することができる。
【０００９】
前記間仕切パネルは、隣接する共有スペースとの仕切であることを特徴としている。
この特徴によれば、間仕切パネルをガイドレールに沿って間仕切パネルのパネル面に対して略直交方向かつ共有スペース側に移動させることにより共有スペースの一部を一時的に利用して個室状区画内を拡張することができる。これに加えて、隣接する個室状区画の一部を一時的に利用して個室状区画内を拡張可能とすることにより、より個室状区画内を拡張することができる。
【００１０】
前記ガイドレールは、天井または架台に架設され、前記間仕切パネルは、前記ガイドレールに揺動可能に吊支されていることを特徴としている。
この特徴によれば、間仕切パネルに人や物品等が接触した際に、間仕切パネルが揺動することでその衝撃を緩和することができるため、怪我や破損等を防止することができる。
【００１１】
前記間仕切パネルは、側縁部において水平方向に回動可能に取付けられる補助パネルを有することを特徴としている。
この特徴によれば、補助パネルを水平方向に回動させることによって利用者が個室状区画内外へ容易に移動することができるとともに、該個室状区画内のプライバシを向上させることができる。
【００１２】
前記個室状区画は、個室状病室であることを特徴としている。
この特徴によれば、プライバシを確保しつつ必要に応じて広い区画を確保することができる個室状病室を提供することができる。
【図面の簡単な説明】
【００１３】
【図１】本発明の実施例における移動間仕切装置により形成された区画状病室を示す斜視図である。
【図２】実施例における移動間仕切装置により形成された６つの区画状病室を示す上面図である。
【図３】実施例における１つの区画状病室を示す上面図である。
【図４】実施例における１つの区画状病室を共有スペース側に拡張した態様を示す上面図である。
【図５】（ａ），（ｂ），（ｃ）は、実施例における１つの区画状病室を隣接する区画状病室側に拡張する手順を示す上面図である。
【発明を実施するための形態】
【００１４】
本発明に係る移動間仕切装置を実施するための形態を実施例に基づいて以下に説明する。
【実施例】
【００１５】
実施例に係る移動間仕切装置につき、図１から図５を参照して説明する。図２に示すように、壁Ｗ１，Ｗ２，Ｗ３に面する一つの空間が、移動間仕切装置１により６つの個室状病室Ｒ１，Ｒ２，…（個室状区画）に仕切られている態様を例に説明する。図１，図３，図４は、図２における点線で囲まれた領域Ａを図示している。以下、対向する個室状病室Ｒ１，Ｒ１’間の共有スペースＳ１側を個室状病室Ｒ１，Ｒ１’の正面側（前方側）とし、その共有スペースＳ１側から個室状病室Ｒ１，Ｒ１’を見たときの上下左右方向を基準として説明する。
【００１６】
また、本実施例において、「個室状病室」と表現した際には、例えば複数の間仕切パネルを連接することで外部と完全に仕切られた個室状病室を意味するばかりでなく、間仕切パネル同士の間に間隙を有しつつ外部からの視認性が一定程度遮断され、個室状病室内の利用者のプライバシを確保できる範囲の個室状病室も意味している。
【００１７】
本発明の移動間仕切装置１は、病院の建物内の部屋や空間を小さな領域に仕切り、分割することにより、複数の個室状病室を形成するものである。尚、本実施例では、図２に示されるように、建物の壁Ｗ１，Ｗ２，Ｗ３で上面視逆向き略コ字状に画成された空間に移動間仕切装置１を用いて６つの個室状病室Ｒ１，Ｒ２，…が形成されており、各個室状病室Ｒ１，Ｒ２，…にはベッドＢが１台ずつ配置されるものとして説明する。
【００１８】
図１〜図２に示されるように、移動間仕切装置１は、天井Ｃに設置されるレールユニット３と、該レールユニット３に沿って移動可能な間仕切パネル２Ａ，２Ｂ，…と、から主に構成されている。尚、説明の都合上、図１において紙面手前側の第２区画レール３５Ａに吊支される２枚の間仕切パネル２Ａ，２Ａの図示を省略し、図２の紙面上方においてレールユニット３を上面から視認可能な高さ位置を基準に図示し、図２の紙面下方において間仕切パネル２Ａ’，２Ｂ’，…の断面部分における高さ位置を基準に図示している。
【００１９】
移動間仕切装置１により、壁Ｗ１沿って位置する３つの個室状病室Ｒ１，Ｒ２，Ｒ３と、壁Ｗ３に沿って位置する３つの個室状病室Ｒ１’，Ｒ２’，Ｒ３’が形成されており、個室状病室Ｒ１，Ｒ２，Ｒ３と個室状病室Ｒ１’，Ｒ２’，Ｒ３’との間には、壁Ｗ１，Ｗ３と略平行に延び通路として機能する共有スペースＳ１となっている。尚、個室状病室Ｒ１，Ｒ２，Ｒ３，Ｒ１’，Ｒ２’，Ｒ３’は、個室状病室Ｒ１，Ｒ１’、個室状病室Ｒ２，Ｒ２’、個室状病室Ｒ３，Ｒ３’の順に壁Ｗ２から離れている。
【００２０】
また、個室状病室Ｒ１，Ｒ２，Ｒ３と個室状病室Ｒ１’，Ｒ２’，Ｒ３’とは共有スペースＳ１介して互いに対向して配置されており、詳しくは、共有スペースＳ１を中心として対称関係にある。一方、壁Ｗ２の反対側に位置する個室状病室Ｒ１，Ｒ１’の側方は共有スペースＳ２となっている。すなわち、共有スペースは、共有スペースＳ１，Ｓ２により横向き略Ｔ字状となっている。
【００２１】
レールユニット３は、壁Ｗ１，Ｗ３に沿って配置される第１区画レール３０（ガイドレール）と、壁Ｗ２に沿って配置される複数の第２区画レール３５Ａ，３５Ｂ，３５Ｃ（ガイドレール）と、から構成されている。尚、第２区画レール３５Ａ，３５Ｂ，３５Ｃは、第２区画レール３５Ａ、第２区画レール３５Ｂ、第２区画レール３５Ｃの順に壁Ｗ２から離れている。
【００２２】
第１区画レール３０は、壁Ｗ２に略直交し、壁Ｗ２から共有スペースＳ２に向けて壁Ｗ１，Ｗ３に沿って略直線状に延びる第１長尺レール３１と、該第１長尺レール３１からＴ字形に分岐直交して略直線状に延びる複数の第１分岐レール３２Ａ，３２Ａ，３２Ｂ，３２Ｂ，３２Ｃ，３２Ｃ（ガイドレール）と、から構成されている。第１分岐レール３２Ａ，３２Ａは、左右方向に所定間隔離間し、かつ、互いに略平行に配置されており、第１分岐レール３２Ｂ，３２Ｂ、第１分岐レール３２Ｃ，３２Ｃも同様である。
【００２３】
第２区画レール３５Ａは、壁Ｗ１に略直交し、壁Ｗ１から共有スペースＳ１に向けて壁Ｗ２に沿って略直線状に延びる第２長尺レール３６Ａと、該第２長尺レール３６Ａに十字形に直交して延びる第２分岐レール３７Ａ，３７Ａ（ガイドレール）と、から構成されている。第２分岐レール３７Ａ，３７Ａは、前後方向に所定間隔離間し、かつ、互いに略平行に配置されている。同様に、第２区画レール３５Ｂは、第２長尺レール３６Ｂと第２分岐レール３７Ｂ，３７Ｂ（ガイドレール）とから構成され、第２区画レール３５Ｃは、第２長尺レール３６Ｃと第２分岐レール３７Ｃ，３７Ｃ（ガイドレール）とから構成されている。
【００２４】
また、第２区画レール３５Ａ，３５Ｂ，３５Ｃは、左右方向に所定間隔離間し、かつ、互いに略平行に配置されている。加えて、第２区画レール３５Ａは、第１区画レール３０の第１長尺レール３１にＬ字形に直交して接続されており、各第２区画レール３５Ｂ，３５Ｃは、第１区画レール３０の第１長尺レール３１に下向きＴ字形に直交して接続されている。尚、各第２区画レール３５Ａ，３５Ｂ，３５Ｃは、第１区画レール３０の第１長尺レール３１と接続されていなくともよい。
【００２５】
次に、移動間仕切装置１による個室状病室の形成について、個室状病室Ｒ１，Ｒ２，Ｒ３を例に説明する。第２区画レール３５Ａに２枚の間仕切パネル２Ａ，２Ａが配置されることによって、これら２枚の間仕切パネル２Ａ，２Ａのパネル面により共有スペースＳ２と個室状病室Ｒ１とが仕切られている。同様に、第２区画レール３５Ｂに２枚の間仕切パネル２Ｂ，２Ｂが配置されることによって個室状病室Ｒ１と個室状病室Ｒ２とが仕切られており、第２区画レール３５Ｃに２枚の間仕切パネル２Ｃ，２Ｃが配置されることによって個室状病室Ｒ２と個室状病室Ｒ３とが仕切られている。尚、個室状病室Ｒ３の個室状病室Ｒ２の反対側は、壁Ｗ２によって区画されている。
【００２６】
また、第２区画レール３５Ａ，３５Ｂの間に位置する第１区画レール３０の第１長尺レール３１に間仕切パネル２Ｄが配置されることによって個室状病室Ｒ１と共有スペースＳ１とが仕切られている。同様に、第２区画レール３５Ｂ，３５Ｃの間に位置する第１区画レール３０の第１長尺レール３１に間仕切パネル２Ｅが配置されることによって、個室状病室Ｒ２と共有スペースＳ１とが仕切られている。同様に、第２区画レール３５Ｃと壁Ｗ２との間に位置する第１区画レール３０の第１長尺レール３１に間仕切パネル２Ｆが配置されることによって個室状病室Ｒ１と共有スペースＳ１とが仕切られている。
【００２７】
このようにして、個室状病室Ｒ１，Ｒ２，Ｒ３は形成されている。尚、個室状病室Ｒ１’，Ｒ２’，Ｒ３’についても、直接の図示は省略するが、個室状病室Ｒ１，Ｒ２，Ｒ３と同様に、レールユニット３に吊支される間仕切パネル２Ａ’，２Ｂ’，２Ｃ’，２Ｄ’，２Ｅ’，２Ｆ’により仕切られることで形成されている。さらに尚、以降の説明についても、個室状病室Ｒ１，Ｒ２，Ｒ３を例に説明した内容は、個室状病室Ｒ１’，Ｒ２’，Ｒ３’についても同様であるためその説明を省略する。
【００２８】
次に、図１，図３を用いて、領域Ａに位置する個室状病室Ｒ１と共有スペースＳ１とを仕切る間仕切パネル２Ｄの構造について説明する。尚、以降の説明において、特に断らない限り領域Ａに位置する個室状病室Ｒ１を基準に説明する。さらに尚、図３において、レールユニット３を２点鎖線で、間仕切パネル２Ａ，２Ｂ，２Ｄを実線で図示している。
【００２９】
間仕切パネル２Ｄは、略直方体の板状に形成されたフレーム２０と、該フレーム２０に組付けられたパネル部材２１と、該フレーム２０の上端部から上方に突出して配設された吊支部材４，４（図３参照）と、から構成されており、フレーム２０はレールユニット３に吊支部材４，４を介して吊支された状態において、フレーム２０の下端部が床Ｆから僅かに離間した状態となるように形成されている。尚、フレーム２０の下端部に、キャスタが取付けられ、床Ｆに転動して移動可能となっていてもよい。
【００３０】
パネル部材２１は、ポリカーボネートにより半透明状の白い板状に形成されている。尚、パネル部材２１は、磨りガラスのように視認性を低減可能であればよく、ポリカーボネートに限定するものではない。
【００３１】
また、間仕切パネル２Ｄは、吊支部材４，４を軸に、間仕切パネル２Ｄの厚み方向に傾動可能となっており、間仕切パネル２Ｄに人や物品等が接触した際に、間仕切パネル２Ｄが揺動することでその衝撃を緩和することができるため、怪我や破損等を防止することができる。参考として、図１において間仕切パネル２Ｄ’が傾動した状態を２点鎖線で図示している。
【００３２】
間仕切パネル２Ａ，２Ｂ，２Ｃの構成は、間仕切パネル２Ｄと略同一構成であるため、間仕切パネル２Ａ，２Ｂ，２Ｃの説明を省略する。一方、第１区画レール３０に吊支される間仕切パネル２Ｄ，２Ｅ，２Ｆには、フレーム２０の側端部２０ａ，２０ｂ（側縁部）に鉛直方向に取付けられる一対のヒンジ部材５１，５１を介して左右一対の補助パネル５，５’が取付けられている。
【００３３】
補助パネル５は、パネル部材２１よりも上下寸法が短尺な略長方形状の板状に形成されており、その取付位置がベッドＢに横になっている利用者を隠せるように位置合わせがなされている。加えて、パネル部材２１と同様にポリカーボネートにより半透明状の白い板状に形成されている。
【００３４】
また、補助パネル５は、ヒンジ部材５１を介して補助パネル５を水平方向に回動させることによって利用者が個室状病室Ｒ１内外へ容易に移動することができる。尚、ヒンジ部材５１は、内部にスプリング等の保持機構を備えている態様であってもよく、この態様であれば、自動的に間仕切パネル２Ｄの幅方向に沿った状態で補助パネル５を静止・保持させることができる。
【００３５】
尚、補助パネル５’は、フレーム２０の側端部２０ｂに取付けられる以外の態様については補助パネル５と略同一態様であるため説明を省略する。
【００３６】
間仕切パネル２Ｄ，２Ｅ，２Ｆは、パネル部材２１と補助パネル５，５’が半透明状の白い板状であることから、対応する個室状病室Ｒ１，Ｒ２，Ｒ３の外方（内方）から内方（外方）を見た際に、その内方（外方）の視認性を低下させることができる。加えて、パネル部材２１と補助パネル５，５’が半透明状の白い板状であるとともに、補助パネル５，５’の上下端部側は開放されていることから、建物に配設されている窓や照明器具等を光源とする光が個室状病室Ｒ１，Ｒ２，Ｒ３内に直接入光するため、個室状病室Ｒ１，Ｒ２，Ｒ３の利用者に圧迫感を与え難く、一定量の光量を確保することができる。さらに、パネル部材２１にプロジェクタから照射された映像を投影させることで、スクリーンとして使用することもできる。尚、スクリーンとして使用する場合には透明状の白い板状であることが好ましい。
【００３７】
間仕切パネル２Ａ，２Ｂ，２Ｃについても、間仕切パネル２Ｄ，２Ｅ，２Ｆと同様に、対応する個室状病室Ｒ１，Ｒ２，Ｒ３の外方（内方）から内方（外方）を見た際に、その内方（外方）の視認性を低下させることができる。
【００３８】
次に、図３〜図５を用いて、間仕切パネル２Ａ，２Ａ，２Ｂ，２Ｂ，２Ｄの位置変更に伴う個室状病室Ｒ１の使用例について説明する。尚、第１区画レール３０において、第１長尺レール３１と第１分岐レール３２Ａ，３２Ａそれぞれとの交差部分を第１交差部３３Ａ，３３Ａとし、第２区画レール３５Ａにおいて、第２長尺レール３６Ａと第２分岐レール３７Ａ，３７Ａそれぞれとの交差部分を第２交差部３８Ａ，３８Ａとし、第２区画レール３５Ｂにおいても第２区画レール３５Ａと同様に第２交差部３８Ｂ，３８Ｂを示して説明する。さらに尚、図４，図５においてレールユニット３を２点鎖線で、間仕切パネル２Ａ，２Ｂ，２Ｄを実線で図示している。
【００３９】
図３に示されるように、第１区画レール３０に吊支される間仕切パネル２Ｄおよび補助パネル５，５’により、共有スペースＳ１側からベッドＢに横たわった利用者が外部から視認され難くなっている。このように、補助パネル５，５’によって、間仕切パネル２Ａだけの態様よりも個室状病室Ｒ１内のプライバシを向上させることができる。
【００４０】
また、第１交差部３３Ａ，３３Ａ間の寸法と第１分岐レール３２Ａ，３２Ａの寸法とは、間仕切パネル２Ａの吊支部材４，４間の寸法と略同一である。第１交差部３３Ａ，３３Ａの略中央は第２区画レール３５Ａ，３５Ｂ間の略中央となる配置となっているため、吊支部材４，４を第１交差部３３Ａ，３３Ａに合わせるように移動させることで間仕切パネル２Ｄを図３に示される所期位置に配置できるようになっている。すなわち、第１交差部３３Ａ，３３Ａをいわゆる目印とすればよく、間仕切パネル２Ｄの位置合わせが容易である。
【００４１】
また、第２区画レール３５Ａに吊支される２枚の間仕切パネル２Ａ，２Ａにより共有スペースＳ２側から個室状病室Ｒ１内への視認性が低下されている。同様に、第２区画レール３５Ｂに吊支される２枚の間仕切パネル２Ｂ，２Ｂにより隣接する個室状病室Ｒ２側から個室状病室Ｒ１内への視認性が低下されている。
【００４２】
これらによって、個室状病室Ｒ１はプライバシが確保された空間となっている。尚、第１区画レール３０に吊支される間仕切パネル２Ｄは、補助パネル５，５’を含む幅寸法の合計の長さが第２区画レール３５Ａ，３５Ｂ間の距離より僅かに短尺となっている。また、間仕切パネル２Ｄと、該間仕切パネル２Ｄ側に配置される間仕切パネル２Ａ，２Ｂとの間には、これら間仕切パネル２Ａ，２Ｂ，２Ｄおよび補助パネル５，５’によって完全に遮断されず、個室状病室Ｒ１の外部に連通する小さな空間がある。同様に、壁Ｗ１と、該壁Ｗ１側に配置される間仕切パネル２Ａ，２Ｂとの間にも間仕切パネル２Ａ，２Ｂによって遮断されていない小さな空間がある。これら遮断されていない小さな空間に加えて、各間仕切パネル２Ａ，２Ｂ，２Ｄおよび補助パネル５，５’が半透明状の白い板状であり、かつ、補助パネル５，５’の上下端部が開放されることにより、個室状病室Ｒ１の利用者に圧迫感を与え難い。
【００４３】
図４の２点鎖線に示されるように、間仕切パネル２Ｄを、第１区画レール３０の第１長尺レール３１に沿って移動させることにより、個室状病室Ｒ１と共有スペースＳ１との間口を広く確保することができる。
【００４４】
一方、間仕切パネル２Ｄを、第１区画レール３０の第１分岐レール３２Ａ，３２Ａに沿って間仕切パネル２Ｄのパネル面に対して略垂直方向かつ共有スペースＳ１側に移動させることにより、共有スペースＳ１の一部を一時的に利用して、個室状病室Ｒ１を拡張することができる。このとき、間仕切パネル２Ｄと対向する個室状病室Ｒ１’の間仕切パネル２Ｄ’（図２参照）との間を所定距離以上離間させておくことにより共有スペースＳ１を人が通行可能な通路としての機能を確保しつつ、間仕切パネル２Ｄによって対向する個室状病室Ｒ１’側からの視認性を低下させることができる。これにより、プライバシを確保しつつ必要に応じて一時的に広い区画を確保することができる。
【００４５】
図５（ａ）に示されるように、間仕切パネル２Ｂ，２Ｂは、個室状病室Ｒ１と隣接する個室状病室Ｒ２との間を仕切っている状態において、間仕切パネル２Ｂ，２Ｂの吊支部材４，４，４，４は、いずれも第２区画レール３５Ｂの第２交差部３８Ｂ，３８Ｂに配置されていないことから、意図せず間仕切パネル２Ｂにパネル面の垂直方向から力が作用しても、該間仕切パネル２Ｂが個室状病室Ｒ１または隣接する個室状病室Ｒ２側へ移動することが防止されている。
【００４６】
図５（ｂ）に示されるように、間仕切パネル２Ｂ，２Ｂを、第２長尺レール３６Ｂに沿って共有スペースＳ１側に移動させることにより、壁Ｗ１側の間仕切パネル２Ｂの吊支部材４，４を第２区画レール３５Ｂの第２交差部３８Ｂ，３８Ｂ上に配置した後、第２分岐レール３７Ｂ，３７Ｂに沿って当該間仕切パネル２Ｂのパネル面に対して略垂直方向かつ隣接する個室状病室Ｒ２側へ移動させる。
【００４７】
次いで、壁Ｗ１側の間仕切パネル２Ｂと同様に、共有スペースＳ１側の間仕切パネル２Ｂの吊支部材４，４を第２交差部３８Ｂ，３８Ｂ上に配置した後、第２分岐レール３７Ｂ，３７Ｂに沿って当該間仕切パネル２Ｂのパネル面に対して略垂直方向かつ隣接する個室状病室Ｒ２側へ移動させる（図５（ｃ）に示される状態）。
【００４８】
これらにより、間仕切パネル２Ｂ，２Ｂを隣接する個室状病室Ｒ２に移動させることにより、隣接する個室状病室Ｒ２の一部を一時的に利用して、個室状病室Ｒ１を拡張することができる。このとき、第２分岐レール３７Ｂ，３７Ｂが第２長尺レール３６Ｂの壁Ｗ１側（ベッドＢの頭部側）で該第２長尺レール３６Ｂに十字形に直交しているため、隣接する個室状病室Ｒ２のベッドＢの頭部側に間仕切パネル２Ｂ，２Ｂが移動されることから、隣接する個室状病室Ｒ２側からは個室状病室Ｒ１内を視認し難い状態となっている。同様に、個室状病室Ｒ１側から隣接する個室状病室Ｒ２内を視認し難い状態となっている。すなわち、個室状病室Ｒ１を隣接する個室状病室Ｒ２側に拡張した場合であっても、相互のプライバシを確保することができる。尚、当然にして、間仕切パネル２Ｂ，２Ｂを個室状病室Ｒ１に移動させることによって、個室状病室Ｒ１の空間を利用して、隣接する個室状病室Ｒ２を拡張することもできる。
【００４９】
また、間仕切パネル２Ｂ，２Ｂと同様に、間仕切パネル２Ａ，２Ａも第２区画レール３５Ａに沿って移動させることにより、共有スペースＳ２側または個室状病室Ｒ１に移動させることができる。すなわち、隣接する共有スペースＳ２側の空間を利用して、個室状病室Ｒ１を拡張することができるとともに、個室状病室Ｒ１の空間を利用して、隣接する共有スペースＳ２を拡張することもできる。
【００５０】
これまで、各間仕切パネル２Ａ，２Ｂ，２Ｄを個別に移動させることにより、個室状病室Ｒ１を拡張する例について説明したが、これら間仕切パネル２Ａ，２Ｂ，２Ｄの内の全てまたは二組を共に移動させることにより、共有スペースＳ１の一部を一時的に利用して個室状病室Ｒ１を拡張することに加えて、隣接する個室状区画Ｒ２の一部を一時的に利用して個室状病室Ｒ１内を拡張可能とすることにより、より個室状病室Ｒ１内を拡張することができる。
【００５１】
また、個室状病室Ｒ２，Ｒ３についても、個室状病室Ｒ１と同様に拡張することができる。尚、個室状病室Ｒ３の一方は壁Ｗ２によって仕切られていることから、壁Ｗ２と第２区画レール３５Ｃとの距離が、各第２区画レール３５Ａ，３５Ｂ，３５Ｃ間の所定距離よりも長寸であってもよく、壁Ｗ２と第２区画レール３５Ｃとの距離および各第２区画レール３５Ａ，３５Ｂ，３５Ｃ間の寸法については適宜設定されればよい。
【００５２】
以上説明してきたように、本実施例における移動間仕切装置１は、プライバシを確保しつつ必要に応じて広い区画を確保することができる個室状病室Ｒ１，Ｒ２，Ｒ３を提供することができる。
【００５３】
また、必要に応じて個室状病室Ｒ１を拡張することにより、大型の物品の搬出入等の作業や患者に対して医療行為に準じる処置等に必要な領域を確保することができることから、図３に示される個室状病室Ｒ１の状態において、作業や処置に必要な領域を確保しなくともよいため、空間を有効活用することができる。換言すれば、作業や処置に必要な領域を確保した病室を配置することと比較して、隣接する個室状病室Ｒ２や共有スペースＳ１，Ｓ２の一部を作業や処置に必要な領域として一時的に活用することで個室状病室を多く配置できる。尚、個室状病室Ｒ２，Ｒ３についても同様である。
【００５４】
また、間仕切パネル２Ａを意図的に傾動させることにより一時的に個室状病室Ｒ１を拡張してもよく、例えば個室状病室Ｒ１内の清掃やシーツの交換のような作業において、容易に個室状病室Ｒ１を拡張できることから当該作業が容易となる。尚、他の間仕切パネル２Ｂ，２Ｃ，２Ｄ，２Ｅ，２Ｆおよび個室状病室Ｒ２，Ｒ３についても同様である。
【００５５】
ここで、移動間仕切装置１を使用して形成された個室状病室Ｒ１と、カーテンレールに吊支されたカーテンを使用して形成された個室状病室とを比較すると、カーテンは捲れ上がったり移動し易いが、間仕切パネル２Ａ，２Ｂ，２Ｄは捲れ上がったり容易に移動し難い。これにより、間仕切パネル２Ａ，２Ｂ，２Ｄであれば確実に個室状病室Ｒ１内のプライバシを確保することができる。
【００５６】
また、カーテンは、定期的にクリーニング等を行い一定以上の衛生状態を保つ必要があるが、汚れが付着した際に染み込む等するため、即座に汚れを除去することが難しい上に、クリーニング等を繰り返し行っても汚れが蓄積し、経年と共に劣化する。対して、間仕切パネル２Ａ，２Ｂ，２Ｄは、拭き上げるだけで一定以上の衛生状態を保つことができるとともに、付着した汚れも即座に除去することができ、劣化し難く汚れも蓄積し難い。これらにより、維持管理の観点からも、移動間仕切装置１により良質な個室状病室Ｒ１，Ｒ２，…を提供することができる。尚、他の間仕切パネル２Ｃ，２Ｅ，２Ｆおよび個室状病室Ｒ２，Ｒ３についても同様である。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、上記実施例においては、移動間仕切装置１を用いて個室状病室が形成されている態様として説明したが、これに限らず、宿泊施設、アミューズメント施設、教育施設、飲食店等において個室状区画を形成するために使用されてもよく、一つの個室状病室（区画）だけが形成される態様であってもよい。
【００５９】
また、移動間仕切装置１を用いて、６つの個室状病室Ｒ１，Ｒ２，…が形成されている態様として説明したが、これに限らず、１つ以上の個室状病室が形成されていればよい。また、対向して個室状病室Ｒ１，Ｒ１’が形成されている態様として説明したが、単に共有スペースＳ１に沿って、複数形成されていてもよく、個室状病室Ｒ１，Ｒ１’がいわゆる背中合わせに形成されていてもよい。
【００６０】
また、移動間仕切装置１によって個室状病室の３辺を移動式の間仕切パネルで仕切る態様として説明したが、これに限らず、少なくとも１辺が移動式の間仕切パネルであればよく、すなわち全ての辺が移動式の間仕切パネルであってもよく、一部が固定式の間仕切パネルであってもよく、カーテンであってもよく、建物の壁を利用してもよく、限定するものではない。加えて、個室状病室が上面視矩形状に形成されていなくともよく、三角形状や、台形状や、五角形以上の多角形状に形成されていてもよい。
【００６１】
また、移動間仕切装置１は、建物の壁Ｗ１，Ｗ２，Ｗ３で上面視逆向き略コ字状に画成された空間を仕切っている態様として説明したが、これに限らず、壁Ｗ１，Ｗ２，Ｗ３の全部または一部が固定式の間仕切パネルや、移動式の間仕切パネルで形成された造作壁で画成されていてもよく、カーテンレールに吊支されたカーテンで仕切られていてもよい。また、各個室状病室（区画）は、複数の間仕切パネルを連接することで外部と完全に仕切られていてもよく、間仕切パネルを移動させた位置で固定可能であってもよい。
【００６２】
レールユニット３は、天井Ｃに配置される態様として説明したが、これに限らず、架台に架設されていてもよく、床Ｆに配置されていてもよく、限定するものではない。また、レールユニット３は、個室状病室を仕切る間仕切パネルを吊支するための必要数、第１分岐レール３２Ａ，３２Ｂ，３２Ｃや第２分岐レール３７Ａ，３７Ｂ，３７Ｃと略同一態様のレールだけが配置されている態様であってもよく、該略同一態様のレールと第１分岐レール３２Ａ，３２Ｂ，３２Ｃや第２分岐レール３７Ａ，３７Ｂ，３７Ｃを組合わせることで構成されていてもよい。
【符号の説明】
【００６３】
１                          移動間仕切装置
２Ａ，２Ａ’                間仕切パネル
２Ｂ，２Ｂ’                間仕切パネル
２Ｃ，２Ｃ’                間仕切パネル
２Ｄ，２Ｄ’                間仕切パネル
２Ｅ，２Ｅ’                間仕切パネル
２Ｆ，２Ｆ’                間仕切パネル
５，５’                    補助パネル
２０ａ，２０ｂ              側端部（側縁部）
３０                        第１区画レール（ガイドレール）
３５Ａ，３５Ｂ，３５Ｃ      第２区画レール（ガイドレール）
Ｒ１，Ｒ１’                個室状病室（個室状区画）
Ｒ２，Ｒ２’                個室状病室（個室状区画）
Ｒ３，Ｒ３’                個室状病室（個室状区画）
【図１】
2019082083.tif 000003
【図２】
2019082083.tif 000004
【図３】
2019082083.tif 000005
【図４】
2019082083.tif 000006
【図５】
2019082083.tif 000007